(57)【特許請求の範囲】
【請求項１】
軒先ユニットを桁方向に沿って複数個連結した軒先ユニット設置構造において、前記軒先ユニットは、軒天井フレームに軒天面材を張った軒先ユニットであって、前記軒天井フレームの先端に沿って軒樋および化粧破風を設け、建物躯体に設けられた支点部材に上下回動自在に連結される回動連結材を前記軒天井フレームの基端に設け、前記軒天井フレームが略水平姿勢まで倒れた状態で建物躯体に当たって水平姿勢を維持させる当たり部を設けたものであり、各軒先ユニットは建物躯体の前記支点部材に前記回動連結材で連結し、前記建物躯体の支点部材よりも上方位置と軒先ユニットの先端近傍部とを垂れ調整ブレースで連結した軒先ユニット設置構造。
【請求項２】
請求項１記載の軒先ユニット設置構造において軒先ユニットを設置する方法であって、桁方向に並べて配置される各軒先ユニットを前記回動連結材で建物躯体の前記支点部材に連結し、これら軒先ユニットを立ち姿勢で相互に連結した後、この軒先ユニットの連結体を倒し、この後、各軒先ユニットを建物躯体に固定する軒先ユニット設置方法。
【発明の詳細な説明】
【０００１】
【発明の属する技術分野】
この発明は、住宅やその他の鉄骨造の建物に適用される軒先ユニットの設置構造，設置方法に関する。
【０００２】
【従来の技術】
従来、建物の軒先部の施工では、図７のように板金工が建物外部の足場６０の上に乗って、軒天面材６１、軒樋６２、ランナー６３等を取付けていた。
【０００３】
【発明が解決しようとする課題】
しかし、このような作業により軒先回りの施工を行う場合には、以下のような問題点がある。
▲１▼  重い軒天面材６１や長い軒樋６２等の持運び作業、取付作業を外部足場６０の上で行うので、作業に危険を伴う。また、外部足場６０を省略して、軒桁６４の上から手を伸ばして軒天回りの施工を行おうとすれば、前傾姿勢となり、やはり危険である。
▲２▼  外壁６５、屋根６６が、プレコート，パネル化，乾式目地化された建物の場合でも、軒樋６２の接続等、軒先部の施工だけのために外部足場６０を組まねばならず、作業工数およびコストが増大する。
▲３▼  大工職人が建物外部に出て軒先回りを施工することになるので、工種が煩雑化し、又それに伴い、足場よりの転落の危険も発生する。
【０００４】
この発明の目的は、軒先回りの施工を簡単かつ安全に行うことのできる軒先ユニットの設置構造，設置方法を提供することである。
【０００５】
【課題を解決するための手段】
この発明の請求項１記載の軒先ユニット設置構造における軒先ユニットは、軒天井フレームに軒天面材を張った軒先ユニットであって、前記軒天井フレームの先端に沿って軒樋および化粧破風を設け、建物躯体に設けられた支点部材に上下回転自在に連結される回動連結材を前記軒天井フレームの基端に設け、前記軒天井フレームが略水平姿勢まで倒れた状態で建物躯体に当たって水平姿勢を維持させる当たり部を設けたものである。
【０００６】
この発明の軒先ユニット設置構造は、前記構成の軒先ユニットを桁方向に沿って複数個連結し、各軒先ユニットは建物躯体の前記支点部材に前記回動連結材で連結し、前記建物躯体の支点部材よりも上方位置と軒先ユニットの先端近傍部とを垂れ調整ブレースで連結したものである。
この発明の軒先ユニット設置方法は、前記構成の軒先ユニット設置構造における軒先ユニットの設置方法であって、桁方向に並べて配置される各軒先ユニットを前記回動連結材で建物躯体の前記支点部材に連結する。これら軒先ユニットを立ち姿勢で相互に連結した後、この軒先ユニットの連結体を倒す。この後、各軒先ユニットを建物躯体に固定する。
【０００７】
この軒先ユニットの設置構造，設置方法によると、軒部の構成部材をユニット化するため、クレーン等の重機で吊り上げ、軒先回りを一度に施工できる。各軒先ユニットは、基端の回動連結材で建物躯体の支点部材に上下回動自在に連結するため、各軒先ユニットが立ち姿勢の状態でこれら軒先ユニット間の軒樋や化粧破風の連結等の作業が行える。そのため、これらの接続作業が、建物内部から作業者の手が届く範囲で行える。このように軒先ユニットの相互間を連結した後、前記支点部材回りに軒先ユニットを倒し回動させ、これら軒先ユニットを倒れ姿勢で建物躯体に固定する。この固定作業も、軒先ユニットの基端の付近で行えるので、建物内部から作業が行える。このため、外部足場を無くし、建物内部からの作業で軒先の施工が安全にかつ能率良く行える。
また、建物躯体の支点部材よりも上方位置と軒先ユニットの先端近傍部とを垂れ調整ブレースで連結する構成とするため、軒先ユニットの上下回動角度を所定の角度に簡単に調整でき、かつ堅固に固定することができる。
【００１２】
【発明の実施の形態】
この発明の第１の実施形態を図１ないし図３に基づいて説明する。この実施形態は請求項１〜３の発明に対応する。この軒先ユニット１は、溝形鋼等の軽量形鋼で方形に組んだ軒天井フレーム２を有し、その下面に軒天面材３が張られる。軒天井フレーム２の先端には、その先端に沿って軒樋４および化粧破風５が設けられる。軒天井フレーム２の基端の両側部には単管からなる回動連結材６が設けられる。一方、建物躯体を構成する軒桁７には、単管からなる支点部材８（図２（Ａ））が、前方へ突出する取付金物８ａを介して設置してあり、回動連結材６は、軒先ユニット１の建物躯体への建込み時に、前記支点部材８に対して、同じく単管からなる連結軸材９を介して連結される。すなわち、支点部材８に連結軸材９の一端部が挿入され、その連結軸材９の他端部に軒天井フレーム２側の回動連結材６が回転自在に嵌合される。これにより、軒先ユニット１は、建物躯体の支点部材８に上下回動自在に連結される。
また、軒天井フレーム２の基端には、このフレーム２が略水平姿勢まで倒れた状態で、前記取付金物８ａに設けられた当たり止め部材１５の下面に係合する板状の当たり部１０が設けてある。当たり部１０は、取付金物８ａの側面に沿う板状部材からなり、フレーム２の倒れ姿勢で、当たり部１０は取付金物８ａに固定ボルト１０ａで固定される。また、軒天井フレーム２の基端の化粧枠材２ａは、軒先ユニット１の倒れ姿勢で、建物躯体の外壁パネル１７のフレーム１７ａにけられた上縁材１８に密接する。
軒天井フレーム２の先端近傍部には、垂れ調整ブレース１１の一端部が上下回動自在にボルト止めされる。このブレース１１の他端のボルト部１１ａは、建物躯体の前記支点部材８よりも上方位置に連結される。すなわち、軒桁７上に立設される束１２にはアングル等からなる取付部材１３が設けられ、この取付部材１３の切欠部１３ａ（図２（Ｂ））に、前記ボルト部１１ａを係合させ、ボルト部１１ａに螺合させた一対のナット１４で取付部材１３を挟み付けることにより連結される。この垂れ調整ブレース１１により、軒先ユニット１を建物躯体に対して水平姿勢に調整して支持することができ、取付強度もアップできる。前記軒先ユニット１の桁方向長さは、例えば４Ｐ（Ｐは建物のモジュール寸法であり、１Ｐは８００〜１０００mm程度）程度に設定される。
【００１３】
この軒先ユニット１を用いた軒先回りの施工は、次の手順で行われる。桁方向に並べて配置される各軒先ユニット１を、クレーン等の重機で吊り込み、その基端両側の回動連結材６を、軒桁７の支点部材８に連結軸材９で連結する。次に、軒先ユニット１を立ち姿勢とした状態で、隣接する軒先ユニット１，１の相互間で軒樋４や化粧破風５の接続を行う（図３（Ａ））。このように連結の完了した軒先ユニット１の連結体を、支点部材８を回転中心として基端から一度に略水平姿勢まで倒す（同図（Ｂ））。軒先ユニット１は、水平姿勢まで倒れると、軒天井フレーム２の当たり部１０（図１）が軒桁７側の取付金物８ａにおける当たり止め部材１５に係合するので、これにより軒先ユニット１は略水平姿勢に維持される。この後、軒桁７上の束１２間に横架した取付部材１３の切欠部１３ａに、垂れ調整ブレース１１のボルト部１１ａを係合させ、ボルト部１１ａに螺合させた一対のナット１４，１４で取付部材１３を挟み付ける。ボルト部１１ａに対するナット１４の位置を調整することにより、軒天井フレーム２の垂れ姿勢が正しく水平姿勢になるように調整できる。この後、当たり部１０の固定ボルト１０ａによる固定を行う。以上の作業は、建物内部から建方工の手によって行うことができるので、外部足場に乗って板金工が行う作業が不要となり、立ち姿勢となった軒先ユニット１が手摺代りにもなるので、軒先回りの施工を簡単かつ安全に行うことができ、施工の工種も少なくすることができる。
【００１４】
軒先ユニット設置構造の参考提案例を図４ないし図６に基づいて説明する。軒先ユニット１Ａは、溝形鋼等の軽量形鋼で方形に組んだ軒天井フレーム２の下面に軒天面材３を張った軒先ユニット本体２１と、この軒先ユニット本体２１の先端に水平姿勢と立起し姿勢の間に起倒回動自在に取付けられた軒樋ユニット２２とからなる。この軒先ユニット１Ａの単体の桁行長さは、先の実施形態の場合と同様に例えば４Ｐとしてあり、軒天井フレーム２の軒先突出幅寸法は６５０ｍｍ程度としてある。
軒樋ユニット２２は、軒樋４および化粧破風５を有し、背面にアングル２３を介して突設した立ち姿勢の取付片２４を、軒天井フレーム２の先端部の側面にボルト２５で取付けることにより、上下回動自在とされている。取付片２４と軒天井フレーム２には、前記ボルト２５のボルト挿通孔２４ａ，２ａのほか、軒樋ユニット２２を立起し姿勢に仮止めするボルト挿通孔２４ｂ，２ｂが設けられている。前記アングル２３には、軒樋ユニット２２の水平姿勢を調整する調整ボルト２６が設けられている。調整ボルト２６は、軒樋ユニット２２が水平となった状態で、その先端が軒天井フレーム２に当接するものである。
軒樋ユニット２２の後部両側面には、隣接する軒先ユニット１Ａの軒樋ユニット２２を相互に接続するためのボルト用長孔２７が設けられている。軒天井フレーム２の基端には、軒桁７に固定するための固定金物２８が設けられ、この固定金物２８を軒桁７にボルト接合することにより、軒先ユニット１Ａが軒桁７に固定される。また、一端に調整ボルト２９を螺合させた調整ブレース３０の他端を軒天井フレーム２の先端近傍部に上下回動可能にボルト止めし、調整ボルト２９を軒桁７上の束１２に連結材３１を介して連結することにより、軒先ユニット１Ａを水平姿勢に調整するようにしてある。
【００１５】
この軒先ユニット１Ａを用いた軒先回りの施工は、次の手順で行われる。先ず軒先ユニット１Ａは、その軒樋ユニット２２を図５および図６（Ａ）のように立起し姿勢に仮止めにした状態にしておく。すなわち、軒天井フレーム２のボルト挿通孔２ｂから軒樋ユニット２２の取付片２４のボルト挿通孔２４ｂに仮止め用ボルトを挿通させることにより、軒樋ユニット２２を立起し姿勢としておく。この軒先ユニット１Ａをクレーンで吊り上げて、固定金物２８を軒桁７にボルト止めし、調整ブレース３０の調整ボルト２９を、連結材３１を介して束１２に連結することにより、軒先ユニット２２を建物躯体に略水平姿勢に取付ける。次に、隣合う軒先ユニット１Ａ同士の軒樋ユニット２２の軒樋４および化粧破風５を相互に接続する。このように相互に連結した軒樋ユニット２２の連結体を、図６（Ｂ）のように一斉に水平姿勢に倒す。軒樋ユニット２２の水平姿勢は、軒先ユニット本体２１の軒天井フレーム２に下端が押し当てられる調整ボルト２６のねじ込み量を調整することによって調整する。この後、軒樋ユニット２２を軒天井フレーム２に接続するボルト２５を本締めする。以上の作業は、外部足場に乗って大工職人が行うことなく、建方工が軒桁７から半身を乗り出すだけで簡単かつ安全に行うことができる。
【００２０】
【発明の効果】
この発明の軒先ユニットの設置構造，設置方法によると、軒先回りの各部材をユニット化してその基端で上下回動自在に建物躯体に取付けるようにしたので、軒先ユニットをクレーン等で一気に建て込むことができで、軒先回りの省力化が図れ、また建方工で施工できて、工種が削減される。しかも、軒先ユニットを立ち姿勢として軒樋や化粧破風の連結等が行えるため、建物内部から手の届く範囲で作業ができて、安全に能率良く作業が行える。また、これにより軒先施工に外部足場が不要となり、足場が一般に使われる他の部位、例えば外壁プレコートや、屋根パネル、乾式目地等の工夫と組み合わせれば、無足場で住宅等の建物を構築可能とすることもできる。
また、建物躯体の支点部材よりも上方位置と軒先ユニットの先端近傍部とを垂れ調整ブレースで連結する構成とするため、軒先ユニットの上下回動角度を所定の角度に簡単に調整でき、かつ堅固に固定することができる。
【図面の簡単な説明】
【図１】  この発明の一実施形態に係る軒先ユニットの設置構造を示す縦断面図である。
【図２】  （Ａ）は同軒先ユニットの軒桁への取付構造を示す分解斜視図、（Ｂ）は調整ブレースの連結構造を示す正面図である。
【図３】  同軒先ユニットを水平姿勢に倒す作業を示す説明図である。
【図４】  参考提案例に係る軒先ユニットの設置構造を示す縦断面図である。
【図５】  同軒先ユニットの斜視図である。
【図６】  同軒先ユニットの軒樋ユニットを水平姿勢に倒す作業を示す説明図である。
【図７】  従来例の説明図である。
【符号の説明】
１…軒先ユニット、２…軒天井フレーム、３…軒天面材、４…軒樋、５…化粧破風、６…回動連結材、７…軒桁（建物躯体）、８…支点部材、１０…当たり部、１１…垂れ調整ブレース、１２…束（建物躯体）
【図１】
0003768282.tif 000002
【図２】
0003768282.tif 000003
【図３】
0003768282.tif 000004
【図４】
0003768282.tif 000005
【図５】
0003768282.tif 000006
【図６】
0003768282.tif 000007
【図７】
0003768282.tif 000008